【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
光源からの光を変調し、投射光を出力する出力手段と、
１つ以上の光学部品を有し、前記出力手段から出力された投射光を結像させる結像手段と、
結像させられた前記投射光を表示するフレネルスクリーンと、
前記フレネルスクリーンからの反射光が集光する位置に設けられる、光線を検出する光検出手段と、
前記光検出手段において検出された前記光線に基づいて、前記出力手段による前記投射光の出力を制御する制御手段と、
を備えることを特徴とする背面投射型表示装置。
【請求項２】
前記光検出手段は、点状又は線状の形状を有することを特徴とする請求項１に記載の背面投射型表示装置。
【請求項３】
光源からの光を変調し、投射光を出力する出力手段と、
１つ以上の光学部品を有し、前記出力手段から出力された投射光を結像させる結像手段と、
結像させられた前記投射光を表示するフレネルスクリーンと、
前記フレネルスクリーンからの反射光が集光する位置に設けられるミラーと、
前記ミラーにおいて反射された光線を検出する光検出手段と、
前記光検出手段において検出された前記光線に基づいて、前記出力手段による前記投射光の出力を制御する制御手段と、
を備えることを特徴とする背面投射型表示装置。
【請求項４】
光源からの光を変調し、投射光を出力する出力手段と、
１つ以上の光学部品を有し、前記出力手段から出力された投射光を結像させる結像手段と、
結像させられた前記投射光を表示するフレネルスクリーンと、
前記フレネルスクリーンの前記投射光が照射される面の近傍に設けられるミラーと、
前記ミラーを水平方向及び垂直方向に移動可能な移動手段と、
前記ミラーにおいて反射された光線を検出する光検出手段と、
前記光検出手段において検出された前記光線に基づいて、前記出力手段による前記投射光の出力を制御する制御手段と、
を備えることを特徴とする背面投射型表示装置。
【請求項５】
前記移動手段によって移動された前記ミラーの水平方向及び垂直方向の移動の量に応じて、該ミラーによる光線の反射角度を制御する反射角度制御手段を更に備える
ことを特徴とする請求項４に記載の背面投射型表示装置。
【請求項６】
前記ミラーは凹面の形状を有することを特徴とする請求項３乃至５のいずれか１項に記載の背面投射型表示装置。
【請求項７】
光源からの光を変調し、投射光を出力する出力手段と、
１つ以上の光学部品を有し、前記出力手段から出力された投射光を結像させる結像手段と、
結像させられた前記投射光を表示するフレネルスクリーンと、
前記フレネルスクリーンの前記投射光が照射される面の近傍に設けられる、前記投射光の光線を検出する２つ以上の光検出手段と、
前記２つ以上の光検出手段において検出された前記光線に基づいて、前記出力手段による前記投射光の出力を制御する制御手段と、
を備えることを特徴とする背面投射型表示装置。
【請求項８】
前記制御手段は、
前記２つ以上の光検出手段のうち、検出された前記光線が該光検出手段の検出可能領域において一様であるものにおいて検出された前記光線に基づいて、前記制御を行うことを特徴とする請求項７に記載の背面投射型表示装置。
【請求項９】
前記制御手段は、
前記２つ以上の光検出手段のうち、該光検出手段の検出可能領域において検出された前記光線に対応する画像信号の変動の値が予め定められた値よりも小さいものにおいて、検出された前記画像信号を平均化した値と、前記２つ以上の光検出手段の測光値との比較を行い、該比較の結果に基づいて前記画像信号の補正を行うことを特徴とする請求項７に記載の背面投射型表示装置。
【請求項１０】
前記制御手段は、
画像信号の動きを検出する動き検出手段を備え、前記動き検出手段で動きが検出されなかった画像の領域に関して、画像信号の表示データと表示画像の表示データとを比較し、該比較の結果に基づいて前記画像信号の補正を行うことを特徴とする請求項７に記載の背面投射型表示装置。
【請求項１１】
前記２つ以上の光検出手段は、前記フレネルスクリーンと略平行に格子状に配列されることを特徴とする請求項７乃至１０のいずれか１項に記載の背面投射型表示装置。
【請求項１２】
前記光検出手段は、フォトダイオード、ＣＭＯＳセンサ、ＣＣＤセンサのいずれかであることを特徴とする請求項１乃至１１のいずれか１項に記載の背面投射型表示装置。
【手続補正２】
【補正対象書類名】明細書
【補正対象項目名】０００９
【補正方法】変更
【補正の内容】
【０００９】
本発明によれば、
光源からの光を変調し、投射光を出力する出力手段と、
１つ以上の光学部品を有し、前記出力手段から出力された投射光を結像させる結像手段と、
結像させられた前記投射光を表示するフレネルスクリーンと、
前記フレネルスクリーンからの反射光が集光する位置に設けられる、光線を検出する光検出手段と、
前記光検出手段において検出された前記光線に基づいて、前記出力手段による前記投射光の出力を制御する制御手段と、
を備えることを特徴とする背面投射型表示装置が提供される。
【手続補正３】
【補正対象書類名】明細書
【補正対象項目名】００１０
【補正方法】変更
【補正の内容】
【００１０】
また、本発明によれば、
光源からの光を変調し、投射光を出力する出力手段と、
１つ以上の光学部品を有し、前記出力手段から出力された投射光を結像させる結像手段と、
結像させられた前記投射光を表示するフレネルスクリーンと、
前記フレネルスクリーンからの反射光が集光する位置に設けられるミラーと、
前記ミラーにおいて反射された光線を検出する光検出手段と、
前記光検出手段において検出された前記光線に基づいて、前記出力手段による前記投射光の出力を制御する制御手段と、
を備えることを特徴とする背面投射型表示装置が提供される。
【手続補正４】
【補正対象書類名】明細書
【補正対象項目名】００１１
【補正方法】変更
【補正の内容】
【００１１】
また、本発明によれば、
光源からの光を変調し、投射光を出力する出力手段と、
１つ以上の光学部品を有し、前記出力手段から出力された投射光を結像させる結像手段と、
結像させられた前記投射光を表示するフレネルスクリーンと、
前記フレネルスクリーンの前記投射光が照射される面の近傍に設けられるミラーと、
前記ミラーを水平方向及び垂直方向に移動可能な移動手段と、
前記ミラーにおいて反射された光線を検出する光検出手段と、
前記光検出手段において検出された前記光線に基づいて、前記出力手段による前記投射光の出力を制御する制御手段と、
を備えることを特徴とする背面投射型表示装置が提供される。
【手続補正５】
【補正対象書類名】明細書
【補正対象項目名】００１２
【補正方法】変更
【補正の内容】
【００１２】
また、本発明によれば、
光源からの光を変調し、投射光を出力する出力手段と、
１つ以上の光学部品を有し、前記出力手段から出力された投射光を結像させる結像手段と、
結像させられた前記投射光を表示するフレネルスクリーンと、
前記フレネルスクリーンの前記投射光が照射される面の近傍に設けられる、前記投射光の光線を検出する２つ以上の光検出手段と、
前記２つ以上の光検出手段において検出された前記光線に基づいて、前記出力手段による前記投射光の出力を制御する制御手段と、
を備えることを特徴とする背面投射型表示装置が提供される。